(57)【要約】  大気圧で作動する焼成炉と組み合わせて吸着剤改善型改質を利用して水素ガスを生成するプロセスとシステム。二酸化炭素と水素ガスを生成するために、供給材料が吸着剤改善型改質へ導入される。吸着剤改善型改質内の吸着材料は、二酸化炭素を吸収し、かつ使用された吸着剤を形成するために作用する。吸着剤改善型改質に再利用可能な再生成された吸着剤を生成するために、使用された吸着剤から二酸化炭素を取り除くべく、使用された吸着剤を加熱するために、使用された吸着剤は大気用焼成炉へ導入される。【選択図】図１
2018516836.tif 000002
【特許請求の範囲】
【請求項１】
水素ガスを生成するプロセスであって、
前記プロセスは、
二酸化炭素と水素ガスを生成するために吸着剤改善型改質に供給材料を導入することであって、吸着剤改善型改質が二酸化炭素を吸収し、かつ使用された吸着剤を形成するために、ある量の吸着材料を含む、ことと；
再生成された吸着剤を生成するために、使用された吸着剤から二酸化炭素を取り除くべく使用された吸着剤を加熱するために大気圧で作動する焼成炉へ使用された吸着剤を導入することと；
再生成された吸着剤の少なくとも一部を吸着剤改善型改質に再利用することを含む、プロセス。
【請求項２】
吸着剤改善型改質から水素ガスの少なくとも一部を回収することをさらに含む、請求項１に記載のプロセス。
【請求項３】
回収された水素ガスをさらなる水素精製処理に進めることをさらに含む、請求項２に記載のプロセス。
【請求項４】
さらなる水素精製処理は、圧力スイング吸着を含む、請求項３に記載のプロセス。
【請求項５】
供給材料は炭化水素燃料とＨ２Ｏを含む、請求項１に記載のプロセス。
【請求項６】
炭化水素燃料は天然ガスを含む、請求項１に記載のプロセス。
【請求項７】
吸着剤改善型改質は、少なくとも３５ｐｓｉａの圧力で作動する、請求項１に記載のプロセス。
【請求項８】
使用された吸着剤を焼成炉へ導入する前に、前記プロセスは、吸着剤改善型改質生成物ガスから使用された吸着剤を分離することを含む、請求項１に記載のプロセス。
【請求項９】
分離された吸着剤改善型改質生成物ガスは水素ガスを含み、前記プロセスは、分離された吸着剤改善型改質生成物水素ガスの少なくとも一部を精製することをさらに含む、請求項８に記載のプロセス。
【請求項１０】
再利用の前に、再生成された吸着剤の少なくとも一部に圧力を加えることをさらに含む、請求項１に記載のプロセス。
【請求項１１】
焼成炉の中で使用された吸着剤を加熱することは、直接の熱の適用を含む、請求項１に記載のプロセス。
【請求項１２】
焼成炉の中で使用された吸着剤を加熱することは、間接的な熱の適用を含む、請求項１に記載のプロセス。
【請求項１３】
焼成炉から取り除かれた二酸化炭素の少なくとも一部を回収することをさらに含む、請求項１に記載のプロセス。
【請求項１４】
水素ガスを生成するプロセスであって、該プロセスは、
二酸化炭素と水素ガスを生成するために少なくとも３５ｐｓｉａの圧力で作動する吸着剤改善型改質に、天然ガスとＨ２Ｏを含む供給材料を導入することであって、吸着剤改善型改質が、二酸化炭素を吸収し、かつ使用された吸着剤を形成するために、ＣＯ２ある量の吸着材料を含む、ことと；
使用された吸着剤からの水素ガスを含む吸着剤改善型改質生成物ガスを分離することと；
再生成された吸着剤を生成するために使用された吸着剤から二酸化炭素を取り除くべく、使用された吸着剤を加熱するために大気圧で作動する直接燃焼式焼成炉へ使用された吸着剤を導入することと；
再生成された吸着剤の少なくとも一部を吸着剤改善型改質に再利用することを含む、プロセス。
【請求項１５】
再利用の前に、再生成された吸着剤の少なくとも一部に圧力を加えることをさらに含む、請求項１４に記載のプロセス。
【請求項１６】
焼成炉から取り除かれた二酸化炭素の少なくとも一部を回収することをさらに含む、請求項１４に記載のプロセス。
【請求項１７】
水素ガスを生成するためのシステムであって、
該システムは、
ある量の吸着材料を含む、吸着剤改善型改質であって、供給材料が二酸化炭素と水素ガスを生成し、吸着材料が二酸化炭素を吸収し、使用された吸着剤を形成する、吸着剤改善型改質；
吸着剤改善型改質生成物ガスから使用された吸着剤を分離するための分離装置；
再生成された吸着剤を生成するために使用された吸着剤から二酸化炭素を取り除くべく、使用された吸着剤を加熱するために大気圧で作動する焼成炉；および、
焼成炉から吸着剤改善型改質まで再生成された吸着剤の少なくとも一部を導入する再利用ライン、を含む、システム。
【請求項１８】
焼成炉は直接加熱式焼成炉である、請求項１７に記載のシステム。
【請求項１９】
吸着剤改善型改質は二酸化炭素と水素ガスを生成し、吸着材料は二酸化炭素を吸収し、少なくとも３５ｐｓｉａの圧力で使用された吸着剤を形成する、請求項１７に記載のシステム。
【請求項２０】
さらなる処理のために焼成炉から取り除かれた二酸化炭素の少なくとも一部を運搬するための二酸化炭素処理ラインをさらに含む、請求項１７に記載のシステム。
【発明の詳細な説明】
【技術分野】
【０００１】
本発明は一般に水素製造、とりわけ、大気内焼成を用いる吸着剤改善型改質を介する水素の製造に関する。
【背景技術】
【０００２】
吸着剤改善型改質（Ｓｏｒｂｅｎｔ  Ｅｎｈａｎｃｅｄ  Ｒｅｆｏｒｍｉｎｇ，ＳＥＲ）は、一体的なＣＯ２捕獲を用いる水素製造のための新たな加工技術である。
【０００３】
こうした処理は、高純度水素の製造を支援するために典型的にはル・シャトリエの原理を使用する。本質的に、このような処理は、改質反応のあいだに製造される二酸化炭素を吸収する材料を使用して、その結果、後に除去される二酸化炭素をより多く生成する反応を引き起こす。二酸化炭素の除去により、熱力学的平衡は高純度水素平衡へ優先的に移行する。
【０００４】
ＳＥＲ処理の第２の利点は、二酸化炭素のほぼすべてが吸着材料によって、あるいは吸着材料中で保持されるということである。吸着材料を望ましい形で再使用することができるようにするためには、捕獲された二酸化炭素をその後、吸着材料から遊離させなければならない。吸着材料の再生は一般に焼成炉として知られている部品の中で行われる。
【０００５】
２つの典型的なタイプの焼成処理がある：直接燃焼と間接燃焼。直接燃焼による焼成は、燃焼あるいは電気的加熱工程からなどの高温ガスを利用し、そのような高温ガスを吸着材料と直接混合する。そうした直接燃焼による焼成処理は典型的には固体ハンドリング手法を簡略化したものであり、二酸化炭素の分圧を減少させることにより必要とされる焼成温度を下げる。間接燃焼による焼成は、吸着材料から物理的に分離した外部供給源から提供されるような熱を利用する。こうした間接燃焼による焼成処理は典型的には熱伝達プロセスを複雑にし、必要とされる焼成温度を増加させるが、炭素の捕獲と隔離あるいは共同生成のニーズに有用であると判明するであろうようなほぼ純粋な二酸化炭素流を提供する。
【０００６】
過去には、焼成処理は、典型的には３０−３６３ｐｓｉａで変動する炉システム圧力の５％以内の圧力で一般に行われている。
【発明の概要】
【０００７】
対象開発の一般的な目的は、水素製造を改善するか、水素製造の改善をもたらすことである。
【０００８】
１つの実施形態に合わせて、二酸化炭素と水素ガスを製造するために吸着剤改善型改質に供給材料を導入することを含む水素ガスを生成するプロセスを通じて、対象開発の一般的な目的を少なくとも一部達成することができる。吸着剤改善型改質は望ましくは、二酸化炭素を吸収し、かつ使用された吸着剤を形成するためのある量の吸着材料を含む。プロセスは再生成された吸着剤を生成するために、使用された吸着剤からの二酸化炭素を取り除くために使用された吸着剤を熱するべく大気圧で作動する焼成炉へ使用された吸着剤を導入する工程をさらに含む。再生成された吸着剤の少なくとも一部は望ましくは、さなる処理で使用されるような吸着剤改善型改質に再利用可能である。
【０００９】
別の実施形態に合わせて、対象開発は、二酸化炭素と水素ガスを生成するために少なくとも３５ｐｓｉａの圧力で作動する吸着剤改善型改質に、天然ガスとＨ２Ｏを含む供給材料を導入することを含む、水素ガスを生成するプロセスを提供する。吸着剤改善型改質は望ましくは、二酸化炭素を吸収し、かつ使用された吸着剤を形成するためのある量のＣＯ２吸着材料を含む。水素ガスを含む、吸着剤改善型改質生成物ガスは、使用された吸着剤から分離される。使用された吸着剤は、再生成された吸着剤を生成するために、使用された吸着剤から二酸化炭素を取り除くべく、使用された吸着剤を加熱するために大気圧で作動する直接燃焼式焼成炉へ導入される。望ましい場合には、分離された吸着剤改善型改質生成物水素ガスの少なくとも一部は、その後、圧力スイング吸着などによって精製可能である。さらに、再生成された吸着剤の少なくとも一部は吸着剤改善型改質に再利用される。
【００１０】
本発明の別の態様に合わせて、水素ガスを生成するシステムが提供される。こうしたシステムは、ある量の吸着材料を含むなどの吸着剤改善型改質を含んでもよく、供給材料は二酸化炭素と水素ガスを生成し、吸着材料は二酸化炭素を吸収し、使用された吸着剤を形成する。システムは、吸着剤改善型改質生成物ガスから使用された吸着剤を分離するための分離器をさらに含む。大気圧で作動する焼成炉は、再生成された吸着剤を生成するために使用された吸着剤から二酸化炭素を取り除くべく使用された吸着剤を加熱するために提供されるか、含まれる。該システムは、再生成された吸着剤の少なくとも一部を、焼成炉から吸着剤改善型改質に導入するために再利用ラインをさらに含む。
【００１１】
吸着剤による二酸化炭素の除去は、平衡を高純度水素平衡へ優先的に都合よく移行させる役割を果たす。
【００１２】
さらに、ほぼすべての二酸化炭素は吸着材料の中で保持される。本発明にて局所的な周囲の圧力で作動する大気焼成炉を使用することで、焼成炉を反応装置の作動圧力から切り離すのに有利に役立つ。
【００１３】
当業者、および、本明細書で提供される技術によって導かれた者は、焼成装置を、望ましくは、大気圧下でのＣＯ２の分圧（例えば、大気圧より最大２５％、２０％、または１０％ほど上下する）で、または、蒸気または他の希釈剤の導入に伴って大気圧より低いＣＯ２の分圧で操作することができることを認識するだろう。焼成炉には、ＳＥＲ水素発生器から、燃料、空気、および、より高圧の吸着剤を投入しうる。焼成プロセスは吸着剤をより高圧力にする。焼成プロセスから出るオフガスを捕捉し、および／またはさらに処理しうる。
【００１４】
本明細書に使用されるように、「大気」焼成炉、すなわち「大気圧」で作動する焼成炉等への言及は、大気圧±２０％、または大気圧±１０％での焼成炉および操作を指すと理解すべきである。
【００１５】
他の目的および利点は、添付の特許請求の範囲および図面と共に以下の詳細な説明から、当業者には明らかになるであろう。
【図面の簡単な説明】
【００１６】
【図１】図１は、本発明の一態様による水素ガスの製造のための処理システムを示す簡略化された概略図である。
【図２】図２は、本発明の別の実施形態による水素ガスの製造のための代替処理システムを示す簡略化された概略図である。
【図３】図３は、ＣａＣＯ３とＣａＯとの平衡関係についてのＣＯ２分圧と温度との間の数学的関係を示すグラフである。
【図４】図４は、様々な選択された温度でのＦｒｅｄｏｎｉａ  Ｄｅｒｉｖｅｄおよび超高純度ＣａＯの焼結に関するグラフ表現である。
【発明の詳細な説明】
【００１７】
図１は、本発明の一実施形態による水素ガスの製造または生成のための、参照番号（１１０）によって全体的に示され、かつ、処理システム（１１０）は、使用済み吸着剤、水素ガスおよび残留ガスを生成するために吸着剤強化改質器（１１２）を使用する、処理システムを示す。さらに下に詳述されるように、処理システム（１１０）はまた、間接的焼成炉を採用または利用し、したがって、使用済み吸着剤を適切に処理および再生するための間接的焼成炉（１１４）を含む。
【００１８】
ＳＥＲ水素発生装置への適切な入力は、適切な炭化水素燃料（例えば天然ガス）、水蒸気、焼成炉から望ましくは少なくとも部分的といった加圧吸着剤を含み、且つ、システム関連の圧力振動アブソーバーからなどの排ガスを含む場合もある。
【００１９】
処理システム（１１０）は、水素生成又は産生のために吸着剤を増強したリフォーマー（１１２）への侵入の前に供給物を処理するための、（１２０）として通常指定される供給材料処理セクションを含む。
【００２０】
供給材料処理セクション（１２０）は、示されるように、給水処理及びポンプセクション（１２２）、及び天然ガス供給及び圧縮セクション（１２４）を含有又は備えてもよく、給水は、ライン（１２６）を介して気化器及び予熱器ユニット（１３０）へと導入され、天然ガスの少なくとも一部は、ライン（１３２）を介して気化器及び予熱器ユニット（１３０）に導入される。気化器及び予熱器ユニット（１３０）からの供給材料は、ライン（１３４）を介して最終供給予熱器（１３６）へと運ばれ、結果として生じる加熱された供給物は、ライン（１４０）を介して、水素ガス（Ｈ２）吸着剤を増強したリフォーマー水素発生装置（１１２）に導入される。
【００２１】
適切な吸着剤材料は、ライン（１４４）を介して水素ガス（Ｈ２）吸着剤を増強したリフォーマー水素発生装置（１１２）に導入される。
【００２２】
望ましい連続的なＳＥＲ処理は、連続操作に望ましい流動床リアクター技術を使用し得る。流動床リアクターの利用は、例えば温度の均一性及び／又は熱伝達率の増大又は改善を含む、多数の関連する利点をもたらす又は生み出すことができる。
【００２３】
ＳＥＲ水素発生装置（１１２）は、改質反応中に産生される二酸化炭素を吸収するために吸着剤材料を利用して、改質反応に付加的な水素ガス及び二酸化炭素を産生させ、二酸化炭素は好ましくは吸着剤材料を介して取り除かれる。故に、二酸化炭素の除去は優先的に、平衡状態を高純度水素平衡状態へと変える。
【００２４】
吸着剤としてＣａＯを得ると、吸着剤を増強した改質反応操作に含まれる初期反応は、以下の反応１−３である：
ＣＨ４（ｇ）＋Ｈ２Ｏ（ｇ）→３Ｈ２（ｇ）＋ＣＯ（ｇ）                      改質（１）
ＣＯ（ｇ）＋Ｈ２Ｏ（ｇ）→Ｈ２（ｇ）＋ＣＯ２（ｇ）              水−ガスの変化（２）
ＣａＯ＋ＣＯ２（ｇ）→ＣａＣＯ３＋熱                            吸着剤の炭化（３）
ＣＨ４（ｇ）＋２Ｈ２Ｏ（ｇ）＋ＣａＯ→４Ｈ２（ｇ）＋ＣａＣＯ３      全体のＳＥＲ（４）
ＣａＣＯ３＋熱→ＣａＯ＋ＣＯ２                                    吸着剤の焼成（５）
【００２５】
全体のＳＥＲ操作は反応（４）に定義され、焼成操作は反応（５）に示される。
【００２６】
水素ガス（Ｈ２）吸着剤を増強したリフォーマー水素発生装置（１１２）から出る生成物の流れ（１５２）は、適切なセパレーター又は処理デバイス（１５４）に導入されて、ガス状の生成物から固体を使用した吸着剤を分離する。特定の実施形態における、適切なセパレーター又は処理デバイスは、フィルタ、サイクロン、又はそれらの組み合わせを含み得る。
【００２７】
セパレーター（１５４）からの排ガスの流れ（１６０）は、適切な温度の低下のために排ガス冷却器（１６２）に通される。適切に冷却した排ガス、主に水素ガスで構成されるものは、例えば、圧力振動アブソーバーなどを介した更なる精製などの後の処理のために、ライン（１６４）を介して通過される。
【００２８】
セパレーター（１５４）からの固体を使用した吸着剤は、固体入口上のバルブ（図示せず）及び固体出口上のバルブ（１７０）などによりホッパー（１６６）に集められ得る。一旦、ホッパーが適切に充填されると、ホッパーへの入口は閉じられ、圧力は適切なベントポート（図示せず）などを介してホッパーから圧力が放たれ得る。一旦、圧力が十分に低下すると、吸着剤出口バルブ（１７０）は開放され、大気間接燃焼焼成炉（ａｔｍｏｓｐｈｅｒｉｃ  ｉｎｄｉｒｅｃｔ  ｆｉｒｉｎｇ  ｃａｌｃｉｎｅｒ）（１１４）への使用済み吸着剤の放出を可能にする。
【００２９】
焼成炉（１１４）は、現在再生成される吸着剤から二酸化炭素を取り除く役目を果たす。二酸化炭素及び他の気体は、ライン（１７４）を介して冷却器（１７６）へと通過し、その後ライン（１７８）を介して、通気管又は他の適切な廃棄又は放出へと通過する。
【００３０】
焼成炉（１１４）から再生成された吸着剤は、別個のホッパー（１８２）においてライン（１８０）を介して集められ、原子炉圧力より僅かに上の圧力へと適切に再加圧され得る。一旦、所望の圧力が達成されると、再生成された吸着剤は、ライン（１４４）などを介してＳＥＲリアクター（１１２）まで測定される。
【００３１】
処理システム（１１０）は、（１８４）として通常指定される焼成炉バーナー供給セクションを含んでおり、これは、主な焼成炉バーナユニット（１９４）へとライン（１９２）を介して予熱空気を供給する燃焼空気予熱器ユニット（１９０）へとライン（１８８）を介して燃焼空気を供給する、燃焼空気圧縮機ユニット（１８６）などを含む。主な焼成炉バーナユニット（１９４）はまた、天然ガス供給及び圧縮セクション（１２４）などからライン（１９６）を介して天然ガスを受け取り、燃焼生成物は、熱を焼成炉（１１４）に伝えるが、焼成炉（１１４）の内部から物理的に分離される、間接バーナーダクト（１１５）に導入される。残留燃焼ガスは、ライン（１７５）を介して収集且つ通過され、熱回収システム（１７７）へと送られて、そこでは残留熱が燃焼ガスから抽出され、大気（１７９）へと放出される。
【００３２】
当業者に認識されるように、且つ本明細書に提供される教示により導かれるように、このような間接燃焼焼成処理は、炭素の捕捉及び隔離又は共産生の必要性に有用であると見出されるものなど、ほぼ純粋な二酸化炭素を提供する。その結果、特定の好ましい実施形態において、間接燃焼焼成の利用が好ましい。
【００３３】
本明細書に記載されるものなど、大気焼成炉の使用は、空気及びＰＳＡ排ガスの何れか或いは両方の圧縮機の必要性を排除するなどによって、システムの資本コストを望ましいように下げることができる。加えて、そのような圧縮機の操作に必要な力も排除され、それにより操作コストが下げられ、システム効率が向上する。更に、主題の焼成におけるように、焼成温度は、圧力を下げることによる炭酸ガス分圧の直接的な結果であり、温度も望ましいように下げられるので、主題の開発に従った実行は、吸着剤の寿命の長さを望ましいように増大させ、且つ吸着剤の交換が必要になる前の時間を延長することができる。
【００３４】
主題の開発に従った処理が上述され、間接燃焼焼成炉を利用した処理システムに対する特定の言及がなされる一方で、本発明のより広範囲の実施は必ずしも、例えば所望の場合に、直接燃焼焼成炉を利用して開発が適切に実行され得るように限定されるものではない。そのために、図２は参照せず、これは、主題の開発の別の実施形態に従った水素ガスの産生又は精製のための、参照符号（２１０）で通常指定される処理システムを表している。処理システム（２１０）は通常、関節燃焼焼成及び間接焼成炉を除いて上述の処理システム（１１０）と同様のものであり、処理システム（２１０）は、直接燃焼焼成を利用し、故に使用済みの吸着剤を適切に処理且つ再生成するために直接燃焼焼成炉（２１４）を含んでいる。
【００３５】
処理システム（１１０）と同様に、処理システム（２１０）は、水素生成又は産生のために吸着剤を増強したリフォーマー（２１２）への侵入の前に供給物を処理するための、（２２０）として通常指定される供給材料処理セクションを含む。供給材料処理セクション（２２０）は、示されるように、給水処理及びポンプセクション（２２２）、及び天然ガス供給及び圧縮セクション（２２４）を含有又は備えてもよく、給水は、ライン（２２６）を介して気化器及び予熱器ユニット（２３０）へと導入され、天然ガスの少なくとも一部は、ライン（２３２）を介して気化器及び予熱器ユニット（２３０）に導入される。気化器及び予熱器ユニット（２３０）からの供給材料は、ライン（２３４）を介して最終供給予熱器（２３６）へと運ばれ、結果として生じる加熱された供給物は、ライン（２４０）を介して、水素ガス（Ｈ２）吸着剤を増強したリフォーマー水素発生装置（２１２）に導入される。
【００３６】
適切な吸着剤材料は、ライン（２４４）を介して水素ガス（Ｈ２）吸着剤を増強したリフォーマー水素発生装置（２１２）に導入される。
【００３７】
システム（１１０）のＳＥＲ水素発生装置（１１２）について、ＳＥＲ水素発生装置（１１２）は、改質反応中に産生される二酸化炭素を吸収するために吸着剤材料を利用して、付加的な水素ガス及び二酸化炭素を産生させ、二酸化炭素は好ましくは吸着剤材料を介して取り除かれる。故に、二酸化炭素の除去は優先的に、平衡状態を高純度水素平衡状態へと変える。
【００３８】
水素ガス（Ｈ２）吸着剤を増強したリフォーマー水素発生装置（２１２）から出る生成物の流れ（２５２）は、適切なセパレーター又は処理デバイス（２５４）に導入されて、ガス状の生成物から固体を使用した吸着剤を分離する。特定の実施形態における、適切なセパレーター又は処理デバイスは、フィルタ、サイクロン、又はそれらの組み合わせを含み得る。
【００３９】
セパレーター（２５４）からの排ガスの流れ（２６０）は、適切な温度の低下のために排ガス冷却器（２６２）に通される。適切に冷却した排ガス、主に水素ガスで構成されるものは、例えば、圧力振動アブソーバーなどを介した更なる精製などの後の処理のために、ライン（２６４）を介して通過される。
【００４０】
セパレーター（２５４）からの固体を使用した吸着剤は、固体入口上のバルブ（図示せず）及び固体出口上のバルブ（２７０）などによりホッパー（２６６）に集められ得る。一旦、ホッパーが適切に充填されると、ホッパーへの入口は閉じられ、圧力は適切なベントポート（図示せず）などを介してホッパーから圧力が放たれ得る。一旦、圧力が十分に低下すると、吸着剤出口バルブ（２７０）は開放され、大気直接燃焼焼成炉（２１４）への使用済み吸着剤の放出を可能にする。
【００４１】
焼成炉（２１４）は、現在再生成される吸着剤から二酸化炭素を取り除く役目を果たす。直接焼成炉（２１４）からの材料は、適切なセパレーター又は処理デバイス（２７２）へとライン（２７１）を介して通されて、取り除かれた二酸化炭素を含む気体材料から再生成された吸着剤固体を分離する。特定の実施形態における、適切なセパレーター又は処理デバイスは、フィルタ、サイクロン、又はそれらの組み合わせを含み得る。
【００４２】
二酸化炭素及び他の気体は、ライン（２７４）を介して冷却器（２７６）へと通過し、その後ライン（２７８）を介して、通気管又は他の適切な廃棄又は放出へと通過する。
【００４３】
セパレーター（２７２）から再生成された吸着剤は、圧力をＳＥＲ原子炉圧力に増大させる、加圧ロックホッパーシステム（２８２）へと放出される。加圧された再生成された吸着剤は、ＳＥＲ原子炉（２１２）へとライン（２４４）を介して通される。
【００４４】
処理システム（２１０）は、上述した処理システム（１１０）と同様に、全体が（２８４）で示され、メイン焼成バーナー部（２９４）に、ライン（２９２）を介して予熱された空気を供給する燃焼空気予熱ユニット（２９０）に、ライン（２８８）を介して燃焼空気を供給する燃焼空気コンプレッサユニット（２８６）を含むような、仮焼炉バーナー供給部とを備えている。メイン焼成バーナーユニット（２９４）はまた、ライン（２９８）を介して焼成炉（２１２）内に導かれる燃焼生成物と共に、天然ガスの在庫および圧縮部（２２４）から、ライン（２９６）を介して天然ガスを受け入れる。
【００４５】
当業者に理解され、本明細書の教示によって導かれるが、間接的に焼成する焼成処理は、典型的に、熱伝達プロセスを複雑化し、必要な焼成温度を上げ、そして、固体の取り扱い手法を望ましく単純化し、二酸化炭素の分圧を下げることにより、必要とされる焼成温度を低下させることができる。その結果、特定の好ましい実施形態において、直火の焼成の利用は好まれる。
【００４６】
図３及び図４を参照することで、より良好な認識、および対象の発展の理解が可能となるだろう。
【００４７】
より具体的には、図３は、ＣａＣＯ３の焼成のための圧力と、焼成温度との間の平衡関係、上記に示した反応（５）を示すグラフである。ＣａＣＯ３の焼成中に、ＣＯ２が副産物として生成される。ＣａＣＯ３が焼成したときの副産物であるＣＯ２の分圧は、温度の関数として表わされる。図３は、ＣＯ２の分圧が増大すると、焼成に必要な温度が上昇することを示している。ＣＯ２の存在が、反応の原動力に影響を与える。このことを考慮して、非限定的な実施形態では、温度をＣＯ２分圧の変化として調節するような、制御を採用することが望ましい。焼成プロセスの効率を測定するために、ＣＯ２分圧と出口の温度がモニタリングされ、固体粒子の投入、燃料供給速度、および焼成チャンバー入口温度と比較されてもよい。測定値は曲線から外れる場合に、燃料の投入を、温度を変化させるために調整してもよい。
【００４８】
焼成に必要な熱は、表面積および細孔体積を減少させる、固体吸収剤粒子の焼結を引き起こす可能性がある。これは、反応性の低下をもたらし、後の工程で使用される、または追加の副生成物を吸収するために再利用される化合物の能力に悪影響を与える。例えば、酸化カルシウム（ＣａＯ）は二酸化炭素（ＣＯ２）用の吸収剤である。その吸収反応によって、炭酸カルシウム（ＣａＣＯ３）が生成される。従って、ＣａＣＯ３は焼成されるとＣａＯへと戻ることができるが、結果として生じるＣａＯは不必要に焼結する可能性がある。細孔容積および表面積が失われることで、ＣＯ２をさらに吸収する反応において再使用される、新たに焼成されたＣａＯの能力が減少してしまう。
【００４９】
焼結の量は、固体吸着剤粒子に適用される熱の量および固体吸着剤粒子が高温にさらされる時間の制限によって減少され得る。焼成のための従来の技術は、典型的に、焼成されている化合物を１時間以上高温にさらす。そのような持続時間は、焼成された生成物の反応度の著しい減少を引き起こす。焼成された生成物が別の反応を介して循環させられる（例えば、追加のＣＯ２を吸収する）場合、これらの他の焼成技術によって引き起こされた焼結は、追加の副産物を吸収する、焼成された生成物の能力を著しく制限して低下させ、及び／又は限界値、およびた、焼成された生成物が副産物を吸収するプロセスを介して循環させられ得る回数を著しく減少させる。
【００５０】
ここで図４を参照すると、異なる選択された温度でのＦｒｅｄｏｎｉａ由来と超高純度ＣａＯの焼結が描写され、焼結速度の増加がより高温で生じるということに重点が置かれている。これは、吸着剤（例えばＣａＯ）の寿命を縮める。当業者によって評価される及び本明細書に提供される教示によって導かれるように、主題の開発に従う大気内焼成炉の使用が、この問題を緩和する又は最小限にすることが望ましい。
【００５１】
したがって、主題の開発に従う操作が、大気焼成炉において吸着剤焼結を著しく減少させ、固形物の分離を増強することができることが理解され、認識されるべきである。
【００５２】
請求項は、手段プラス機能または工程プラス機能の制限（ｍｅａｎｓ−ｐｌｕｓ−  ｏｒ  ｓｔｅｐ−ｐｌｕｓ−ｆｕｎｃｔｉｏｎ  ｌｉｍｉｔａｔｉｏｎｓ）を含むようには意図されていない、および含むようには解釈されるべきでなく、これは、そのような制限が、それぞれ、句「のための手段」または「のための工程」を使用して与えられた請求項において明確に明記されていない限りは当てはまる。
【００５３】
本明細書に例示的に開示された本発明は適切に、本明細書に具体的には開示されていない要素、部分、工程、構成要素、または成分がない状態で実施されてもよい。
【００５４】
前述の詳細な説明では、本発明がその特定の好ましい実施形態に関連して記載されており、多くの詳細が例証目的で明記されているが、本発明が追加の実施形態に影響されること、および本明細書に記載される特定の詳細が、本発明の基本原理から逸脱することなく相当に変更することができることは当業者に明白である。
【図１】
2018516836.tif 000003
【図２】
2018516836.tif 000004
【図３】
2018516836.tif 000005
【図４】
2018516836.tif 000006
【国際調査報告】
2018516836.tif 000007
2018516836.tif 000008
2018516836.tif 000009